Podtech/llm-jp-corpus-v4-ja_patent huggingface dataset:
(57)【要約】【課題】ポケット部の収容物を容易に取り出せるようにしたリュックサックを提供する。【解決手段】本発明のリュックサック１は、鞄本体２の前面部２１の下半分内にポケット部３を備え、鞄本体２の前面部２１の中央付近にループ状の持ち手部４を備えたことを特徴とする。ポケット部３の上面部３１又は前面部３２に横方向にスライドするファスナー部３５を設け、ファスナー部３５よりもリュックサック１の奥側に前記持ち手部４の両端部を固着することが好ましい。【選択図】図２
2011045634.tif 000002
【特許請求の範囲】
【請求項１】
鞄本体の前面部の下半分内にポケット部を備えたリュックサックにおいて、鞄本体の前面部の中央付近にループ状の持ち手部を備えたリュックサック。
【請求項２】
ポケット部の上面部又は前面部に横方向にスライドするファスナー部を設け、ファスナー部よりもリュックサック奥側に前記持ち手部の両端部を取り付けた請求項１に記載のリュックサック。
【発明の詳細な説明】
【技術分野】
【０００１】
本発明は、肩に掛けて背負うリュックサックに関する。
【背景技術】
【０００２】
従来のリュックサックとしては、鞄の前面部にファスナーなどで開閉できるポケット部を設けたものがあり、このポケット部は定期券、チケット、地図など持ち運び中に取り出す必要があるものを収容しておくのに便利である。
このようなリュックサックとしては、下記特許文献１に記載されているリュックサックなどがある。
【先行技術文献】
【特許文献】
【０００３】
【特許文献１】意匠登録１３５５９９３号公報
【発明の概要】
【発明が解決しようとする課題】
【０００４】
このようなリュックサックは、ポケット部の収容物を直ぐに取り出そうとするとき、鞄を手や足で支えながら収容物を探さなければならず、見つけ出しにくいものであった。そのため、地面などに降ろしてから探す必要があり、直ぐに収容物を取り出すことには適していなかった。
【０００５】
そこで、本発明の目的は、ポケット部の収容物を容易に取り出せるようにしたリュックサックを提供することにある。
【課題を解決するための手段】
【０００６】
本発明のリュックサックは、鞄本体の前面部の下半分内にポケット部を備えたリュックサックにおいて、鞄本体の前面部の中央付近にループ状の持ち手部を備えたことを特徴とするものである。
【０００７】
本発明のリュックサックは、鞄本体の前面部の中央付近にループ状の持ち手部を備えたことにより、この持ち手部を把持しながらポケット部を開閉でき、ポケット部内の収容物を探すことができ、リュックサックを持ちながら容易に収容物を探し出すことができる。
【図面の簡単な説明】
【０００８】
【図１】本発明の一実施形態のリュックサックの斜視図である。
【図２】図１のリュックサックのポケット部付近の拡大斜視図である。
【図３】図１のリュックサックの一変形例を示したポケット部付近の拡大斜視図である。
【図４】図１のリュックサックの他の変形例を示したポケット部付近の拡大斜視図である。
【図５】図１のリュックサックの使用状態の一例を示した斜視図である。
【発明を実施するための形態】
【０００９】
以下、本明のリュックサックを、一実施形態に基づいて説明する。
【００１０】
本発明の一実施形態のリュックサック１は、図１又は図２に示すように、鞄本体２の前面部２１にポケット部３を形成し、前面部２１の中央付近に持ち手部４を取り付けたものである。
【００１１】
鞄本体２は、図１に示すように、前面部２１、背当て部２２、横マチ部２３及び底マチ部２４を縫合して形成してあり、鞄本体２上部の前面部２１と横マチ部２３との合わせ部分にファスナー部２５を取り付けて本体開口部２６を設けてある。背当て部２２側には、左右一対の肩紐２７が設けてあり、リュックサック１として背負えるようにしてある。
【００１２】
ポケット部３は、図２に示すように、正面視略矩形状とし、前面部２１の略下半分を占める大きさに形成してあり、上面部３１、前面部３２、両側面部３３、底面部３４をそれぞれ縫合して形成してある。
ポケット部３の前面部３２の上方には、横方向にスライドして開閉するファスナー部３５が設けてあり、この部分をポケット部３の開口部３６としてある。
【００１３】
本実施形態では、ポケット部３は前面部２１の略下半分を占める大きさに形成してあるが、鞄本体２の前面部２１の下半分内に形成してあればよく、図３に示すポケット部５のように、ポケット部３に比べて高さを低くしたものにすることもできる。また、ポケット部３は平面視略矩形状としてあるが、半円状や長円状などの形状にすることもできる。
ポケット部３の前面部３２にファスナー部３５を設けてあるが、図３に示すように、ポケット部５の上面部５１に横方向にスライドするファスナー部５２を設けることもできる。
【００１４】
持ち手部４は、革、布、ナイロンなどからなる帯状部材の両端部を前面部２１とポケット部３の上面部３１との合わせ部分に挟み込み、これらとともに縫製して取り付けてループ状に形成してある。
本実施形態では、持ち手部４の両端部を前面部２１と上面部３１との合わせ部分に挟み込ませて取り付けてあるが、鞄本体２の前面部２１の中央付近に設けてあればよく、図４に示す持ち手部４１のように、ポケット部３の上面部３１上に両端部を横向きに配して縫製などにより取り付けることもでき、図３に示す持ち手部４２のように、鞄本体２の前面部２１の中央付近に両端部を横向きに配して縫製などにより取り付けることもできる。
【００１５】
持ち手部４は、ファスナー部３５よりもリュックサック１の奥側に取り付けることが好ましく、このようにすれば、手が交差することなくファスナー部３５を開閉することができ、ポケット部３内の収容物を容易に探し出すことができる。
【００１６】
このようなリュックサック１は、例えば、図５に示すように、一方の手を肩紐２７に通しながら持ち手部４を把持して鞄本体２を支持し、他方の手でポケット部３のファスナー部３５を掴み横方向にスライドさせて開口部３６を開閉することができ、リュックサック１を持ちながら容易にポケット部３を開閉でき、そのままの状態でポケット部３内の収容物を容易に探し出すことができる。さらに、リュックサック１を背負い状態から降ろすときに、持ち手部４を掴みながら降ろすことができ、リュックサック１を降ろす作業も容易に行うことができる。
【００１７】
上記実施形態の構成態様は、本発明を限定するものとして挙げたものではなく、技術目的を共通にするかぎり変更は可能であり、本発明はそのような変更を含むものである。
【符号の説明】
【００１８】
１リュックサック  ２鞄本体  ２１前面部  ２２背当て部  ２３横マチ部  ２４底マチ部  ２５ファスナー部  ２６本体開口部  ２７肩紐  ３，５ポケット部  ３１，５１上面部  ３２前面部  ３３側面部  ３４底面部  ３５，５２ファスナー部  ３６開口部  ４，４１，４２持ち手部
【図１】
2011045634.tif 000003
【図２】
2011045634.tif 000004
【図３】
2011045634.tif 000005
【図４】
2011045634.tif 000006
【図５】
2011045634.tif 000007
(57)【要約】      （修正有）【課題】針・糸を使用せず、誰にでも簡単に取り付け、取り外しが出来る強固に固定可能な、脱落しないボタンを提供する。【解決手段】脱落しないことを原点とし、１ボタン、２ロックピン、３ワッシャー、５裏ボタン、７ストッパーで構成され、ロックピンと裏ボタンを介しストッパーを挟み込むことで、針・糸を使用せず、布地に強固な取り付けが可能となり、脱落を防止し、そして簡単に取り外しが出来ることにより、この課題を解決する。【選択図】図１
2011045689.tif 000002
【特許請求の範囲】
【請求項１】
ロックピンの下部へ、ワッシャーを入れ、布地にあけた菊穴又はボタンホールに挿入し、裏面より、裏ボタンをはめ込み、ストッパーを押し込んで固定する取付方法。
【発明の詳細な説明】
【技術分野】
【０００１】  本発明は、従来のボタンの取り付けとはまったく異なり、針と糸を使用しないボタンであり、ボタンを使用するすべての衣服に対応出来得るものである。
【背景技術】
【０００２】  針と糸を使用しないボタンに関しては、男子学生服の金属ボタン留め方式及び一部差込み方式のものは認められるが、生地の厚さ・強度等未解決である。機械を使用して取り付けるボタンは、数多く見受けられますが、誰にでも簡単に取り付け・取り外しの出来るボタンは本発明以外にも見受けられません。
【発明の開示】
【発明が解決しようとする課題】
【０００３】  衣料品の量産化によりボタンの取り付けも機械で簡単に短時間で処理される様になっています。手縫いの場合の様にくくりが出来ないため、洗濯の繰り返し等によってボタンの脱落が非常に多くなります。ボタンを取り付ける作業は誰にでも出来る様でいて意外に時間も手間も掛かり、ボタン脱落の為に着用出来ないという事もあります。
また、ボタンの種類（塗装・メッキ）によってはドライクリーニングに耐えられないものもあり、ホテル等においては、クリーニングの都度ボタンを付け直しているという話も聞き及んでおります。
【課題を解決するための手段】
【０００４】  本発明は、脱落しないボタンの発明を原則として試作を繰り返し、強度・取り付け方法・生地の厚み等を検討し、その結果このボタンを発明しました。
図面による説明に入ります。第１図は断面図となり、▲１▼ボタン  ▲２▼ロックピン  ▲３▼ワッシャー  ▲４▼布地  ▲５▼裏ボタン  ▲６▼菊穴  ▲７▼ストッパー
次に構造説明に入ります。▲２▼ロックピンの下部へ▲３▼ワッシャーを入れ、次に▲６▼菊穴に挿入し、菊穴の裏面より▲５▼裏ボタンをはめ込▲７▼ストッパーを押し込みます。
以上によりロックピンを介して、▲４▼布地に強固に固定されます。
尚、ロックピンの上部ボタンの部分は、種々の取り付け方法があり、一例として、（裏ボタン＋ストッパー）のシステムとしました。【０００５】  この発明は、その使用方法において、従来のボタンとの相違はありません。しかし、その取り付け方法において従来のボタンとは大きな相違があります。それは針と糸を使用しないという点です。すなわち、このボタンのセットがあればいつでも簡単に取り付け取り外しが出来るということです。
【発明の効果】
【０００６】  この発明によれば、このボタンのセットを持参することにより、いつでもどこでもボタンの交換が出来ます。また、上手下手の違い無く正確に均一にボタンを取り付けることが出来る様になりました。そして、ふつうの使用においてはほとんど脱落の心配が無くなりました。
【発明を実施するための最良の形態】
【０００７】  図１は、ロックピンを介して裏ボタン＋ワッシャーとボタンが強固に固定されたことを示す断面図である。斜線の部分は、この発明における最も重要な部分の一つであるロックピンの断面図である。▲１▼〜▲７▼まで断面図を詳細に表しています。【０００８】  図２は、布地の厚みに対応して、裏ボタン＋ストッパーと共に布地を確実に強固に挟み込む為の部分（ワッシャー）である。
材質としては、プラスチック系のもので、弾力性にすぐれたものが考えられる。【０００９】  図３は、裏ボタンである。この部分は、ロックピンの下部をストッパーを介して確実に強固に留める為のものであり、材質としては、金属・プラスチック等樹脂系・木質の種々の材質が使用可能である。【００１０】  図４は、ストッパーである。その形状により明らかな様に、ロックピン・裏ボタンを介して布地に強固に固定する為の重要な部品であり、裏ボタンを取り付ける場合は、裏ボタンの中に押し込み、取り外す場合は矢印⇒の部分に爪等を引っかけて引き出して、裏ボタンとロックピンを外す為のものである。
【産業上の利用可能性】
【００１１】本発明に係わるロックピン・ワッシャー・裏ボタン・ストッパーは、種々の材質のものを使用し、工業的量産が可能である為、産業上の利用可能性を有する。
【図面の簡単な説明】
【００１２】
【図１】  ロックピンを介して固定されるボタン・裏ボタン・ストッパー・ワッシャーの断面図である。
【図２】  ワッシャーの平面図である。
【図３】  ボタンと裏ボタンの平面図と側面図である。（但し、サイズ型状は少し違うがシステム・機構としては同一）
【図４】  ストッパーの平面図と側面図である。
【図５】  ロックピンの斜視図である。
【符号の説明】
【００１３】▲１▼    ボタン
▲２▼    ロックピン
▲３▼    ワッシャー
▲４▼    布地
▲５▼    裏ボタン
▲６▼    菊穴又はボタンホール
▲７▼    ストッパー
【図１】
2011045689.tif 000003
【図２】
2011045689.tif 000004
【図３】
2011045689.tif 000005
【図４】
2011045689.tif 000006
【図５】
2011045689.tif 000007
(57)【要約】【課題】従来の風呂桶で、浴槽からお湯をくみ上げると、腕や手首にかかるお湯の重量が、とても大きかった。  本発明は、楽に浴槽からお湯をくみ上げる風呂桶を提供する。【解決手段】風呂桶の側面部分を、やわらかい材質にし、つぶして風呂桶の中央部分を持つことが出来る。【選択図】図４
2011045683.tif 000002
【特許請求の範囲】
【請求項１】
風呂桶の底面と側面の硬さを変えて、側面のみをやわらかく、手でつぶれる硬さにしてある風呂桶。
【発明の詳細な説明】
【技術分野】
【０００１】  本発明は、入浴時に使用する風呂桶に関するものである
【背景技術】
【０００２】  従来、入浴時に浴槽よりお湯をくみ上げる時には、プラスチックや木製の桶により桶のふちを持って、くみ上げていた。
【先行技術文献】
【０００３】
【特許文献１】  特開２００８−８６６７３号公報
【特許文献２】  特開２００８−８００８５号公報
【特許文献３】  特開２００７−２３６８９９号公報
【発明の概要】
【発明が解決しようとする課題】
【０００４】  従来の風呂桶では、桶のふちを持ってお湯をくみ上げる為に、お湯の重量が腕や手首に負担をかけていた。
本発明は、以上の問題点を解決する為になされたものである。
【課題を解決する為の手段】
【０００５】  風呂桶の底面は従来どおりで、側面の硬さを変えて、側面のみをやわらかい材質にする。
以上の構成よりなる風呂桶。
【発明の効果】
【０００６】  本発明により、桶の中央部分を持つことが出来るようになり、お湯の重量が、くみ上げる人に近くなるので、楽にお湯をくみ上げることが出来る。
【図面の簡単な説明】
【０００７】
【図１】本説明の斜視図
【図２】本説明の斜視図
【図３】本説明の使用状態を示す斜視図
【図４】本説明の使用状態を示す斜視図
【発明を実施するための形態】
【０００８】  以下、本発明の実施の形態を説明する。
［図１］の（１）硬質プラスチックの底面に、（３）シリコンゴムの側面があり、（２）ふち部分は直径１０ｍｍの円柱形シリコンゴムが、リング状についている。
本発明は以上のような構造である。
本発明を使用するときは、［図３］親指で側面を押しつぶして、［図４］対称の位置をつかみ、浴槽よりお湯をくみ上げる。
くみ上げた後、床に置き手を離せば通常の風呂桶の形となる。
【符号の説明】
【０００９】（１）底面、（２）ふち、（３）側面、
【図１】
2011045683.tif 000003
【図２】
2011045683.tif 000004
【図３】
2011045683.tif 000005
【図４】
2011045683.tif 000006
(57)【要約】【課題】  より楽しい飛行機型遊具を提供する。【解決手段】ばねの力と風圧により動作する主翼収納開放スイッチ（９）により、前後に回転動作できる分離した主翼を収納した状態で上空に放ち、主翼収納開放スイッチが受ける風圧が減じることにより、主翼収納開放スイッチが動作し、上空で主翼を開放することで、飛行機遊具の滞空時間を長くし、楽しさを増す。【選択図】図１
2011045681.tif 000002
【特許請求の範囲】
【請求項１】
板ばねの力と風圧により動作する主翼収納開放スイッチ（９）により、前後に回転動作できる分離した主翼を収納した状態で上空に放ち、主翼収納開放スイッチが受ける風圧が減じることにより、主翼収納開放スイッチが動作し、主翼を開放することを特徴とする飛行機型遊具。
【請求項２】
コイル状ばねの力と風圧により動作する主翼収納開放スイッチ（９）により、前後に回転動作できる分離した主翼を収納した状態で上空に放ち、主翼収納開放スイッチが受ける風圧が減じることにより、主翼収納開放スイッチが動作し、主翼を開放することを特徴とする飛行機型遊具。
【発明の詳細な説明】
【技術分野】
【０００１】  本発明は、飛行機型遊具の構造に関する。
【背景技術】
【０００２】  多種多様な素材と形態の飛行機型遊具が存在し、非常にたくさんの人間が飛行機型遊具で遊んだ経験を有することと思われるが、滞空時間が長く、その楽しさを存分に味わうための工夫が大切である。【０００３】  たとえば、ゴムの力を使い上空に放つ飛行機型遊具が販売されている。【０００４】  また、ゴムの力を使い上空に放つ回転翼飛行遊具が販売されている。
【発明の概要】
【発明が解決しようとする課題】
【０００５】  本発明になる飛行機型遊具は、翼を収納した状態で、ゴムの力を使い上空に放った後、上空で翼を広げる。【０００６】  従って、空気抵抗の影響が少ないため上空高くまで到達し、その後翼を広げ、緩やかな旋回飛行をしながら落下していく。【０００７】  上空高くまで到達するために、滞空時間が長く、より楽しさが得られる。
【課題を解決するための手段】
【０００８】  本発明になる飛行機型遊具は、左右に分離した主翼（２）、（３）の付け根と胴体（１）とをピン（４）で接続し、ピン（４）を軸として主翼（２）、（３）は動かすことができる。【０００９】  板ばね（６）を、ピン（４）に隣接した突起（５）と主翼の突起（７）、（８）にかませる。【００１０】  主翼収納開放スイッチ（９）を胴体（１）にピン（１０）で接続し、ピン（１０）を軸として主翼収納開放スイッチ（９）は動かすことができる。【００１１】  板ばね（１１）を突起（１２）、（１３）、（１４）にかませる。【００１２】  反動減少突起（１５）を設ける。【００１３】  主翼収納開放スイッチ（９）の先端（１６）を出すための穴（１７）を設ける。【００１４】  胴体（１）の先端付近に、ゴムを引っ掛ける突起または切れ込み（１８）を設ける。
【図面の簡単な説明】
【００１５】
【図１】  （ａ）、（ｂ）はそれぞれ、本考案になる飛行機型遊具の主翼（２）・（３）を広げた状態の上面略図と、主翼（２）・（３）を収納した状態の上面略図である。
【図２】  （ｃ）、（ｄ）はそれぞれ、本考案になる飛行機型遊具の主翼（２）・（３）を広げた状態の側面略図と、主翼（２）・（３）を収納した状態の側面略図である。
【発明を実施するための形態】
【００１６】  本発明になる飛行機型遊具は、各部品の素材や形状は多様に形成できるが、その実施の形態について、図面に示す実施例に基づいて具体的に説明する。
【実施例】
【００１７】  ［図１］（ａ）および［図２］（ｃ）は、主翼（２）・（３）を広げた状態であり、飛行中の状態である。【００１８】  ［図１］（ｂ）および［図２］（ｄ）は、主翼（２）・（３）を収納した状態である。このとき主翼（２）・（３）は、胴体（１）の穴（１７）から突き出た主翼収納開放スイッチの先端（１６）が主翼の穴（１９）に入って固定されることで収納される。【００１９】  本発明になる飛行機型遊具を上空に放つ時、［図２］の（ｄ）において、胴体（１）の（イ）付近と主翼収納開放スイッチ（９）の（ロ）付近を指で押さえ持ち、ゴムを突起または切れ込み（１８）に引っ掛けて、勢いよく上空に放つ。【００２０】  飛行機型遊具を発射してから上空に達するまでの間は、主翼収納開放スイッチ（９）の（ロ）付近に強い風圧を受け、主翼収納開放スイッチ（９）は動かず、主翼（２）・（３）は収納されたままである。【００２１】  飛行機型遊具が上空に達し、主翼収納開放スイッチ（９）の（ロ）付近に受ける風圧が減少すると主翼収納開放スイッチ（９）は板ばね（１１）の作用で（ハ）方向に動き、このとき先端（１６）は穴（１７）に引っ込み、主翼（２）・（３）は広がり、飛行状態になる。
【産業上の利用可能性】
【００２２】  楽しさを増すことで産業の発展に資するとともに、近年屋内で過ごすことの多い子供を屋外で活動させる一助となる。
【符号の説明】
【００２３】１・・・・・・・・胴体
２・・・・・・・・主翼
３・・・・・・・・主翼
４・・・・・・・・ピン
５・・・・・・・・突起
６・・・・・・・・板ばね
７・・・・・・・・突起
８・・・・・・・・突起
９・・・・・・・・主翼収納開放スイッチ
１０・・・・・・・ピン
１１・・・・・・・板ばね
１２・・・・・・・突起
１３・・・・・・・突起
１４・・・・・・・突起
１５・・・・・・・反動減少突起
１６・・・・・・・主翼収納開放スイッチの突起
１７・・・・・・・胴体の穴
１８・・・・・・・切れ込みまたは突起
１９・・・・・・・主翼の穴
２０・・・・・・・垂直尾翼
２１・・・・・・・水平尾翼
（イ）・・・・・・発射時指押え位置
（ロ）・・・・・・発射時指押え位置および風圧を受ける位置
（ハ）・・・・・・主翼収納開放スイッチ動作方向
【図１】
2011045681.tif 000003
【図２】
2011045681.tif 000004
(57)【要約】      （修正有）【課題】シートに含まれる中間層の物理的な圧力により、顔のたるみを解消し、顔の形を整形する化粧シートの提供。【解決手段】皮膚表面に粘着可能な粘着層と外側の布等の間に、肌に負担をかけないシリコン、ポリウレタンなどのエラストマー等の柔らかく弾力性のある厚みを持った中間層を設け、肌の形を整形しようとする場所に貼り付ける。シートを目元用と、顎から頬にかけてのものに分けることにより、顔の表情等による多少の動きによっても剥離しにくくする。【選択図】図１
2011045682.tif 000002
【特許請求の範囲】
【請求項１】
皮膚表面に粘着可能な粘着層を設け、外側の布等の間に中間層を設けた化粧シートにおいて、中間層の形により顔の形を整形する事を特徴とする化粧シート。
【請求項２】
目元と、顎から頬にかけてのシートに分ける事により、顔の表情等による多少の動きによっても剥離しにくい事を特徴とする請求項１の化粧シート。
【発明の詳細な説明】
【技術分野】
【０００１】  本発明は、皮膚表面のたるみの予防や改善に有効な化粧シートに関する。
【背景技術】
【０００２】  加齢により、人の皮膚は弾力性を失いたるみが発生しやすくなる。
また、若年であっても紫外線被爆、睡眠不足、栄養バランスが崩れた状態が長時間続くと、皮膚にたるみを生じやすくなり、特に顔面の場合、常に外気にさらされ、人の目に付きやすく、そのたるみによって老けた印象をもたらし、美容上も好ましいものではない。
これらへの対策として、物理的にたるみを目立たなくする方法等が知られている。その他、化粧品、パック材、また、美容整形などの方法がある。【０００３】  前記の物理的方法としては、例えば、特開２００２−４５２３２号公報（特許文献１）では、テープの両端に粘着部分を設け、皮膚の所定の箇所に貼付するものが開示されており、特開平１０−２３４４６９（特許文献２）では、接着部分を設けた皮膚のばしバンドが開示されている。
いずれも、単に物理的に引っ張るのみであり、完全なたるみ改善につながるものではなかった。
また、化粧品やパックなどを用いる方法は、効果が一時的であるとともに、化粧やパックをするために手間や時間を要する。
美容整形の場合、費用がかかり、安全性の点などで問題が多く、また後遺症が起きる場合もあり、手軽にできるものではない。
【先行技術文献】
【０００４】
【特許文献１】  特開２００２−４５２３２号公報
【特許文献２】  特開平１０−２３４４６９号公報
【発明の概要】
【発明が解決しようとする課題】
【０００５】  本発明は、上述の問題点を解決すべく検討した結果、手軽に簡単に、物理的な引張りではなく、肌に当たる粘着シートと外側の基層シートの間に中間層を設ける事によって、物理的な圧力により肌のたるみを押し上げ、顔の形を整形するシートである。
【課題を解決する手段】
【０００６】  すなわち、本発明は、以下の構成を基本とするものである。
（イ）皮膚表面に粘着可能な粘着層を設け、外側には布等のシートを設け、その中間層に    エラストマー等を設ける事により、物理的な圧力によりたるみの発生を抑え、かつ、    整形する事を特徴とする化粧シート。
（ロ）目元と、顎から頬にかけてのシートを２種類に分ける事により、顔の動きによって    粘着部分が剥離しにくい事を特徴とする化粧シート。
以上のように構成された顔を整形するシートマスク。
【発明の効果】
【０００７】  本発明では、皮膚を物理的に圧力をかけて、徐々に形を整形させるシートを提供する事が可能である。
さらに、本発明のシートを、目元と、顎から頬にかけてのシートの２種類に分ける事により、日中でも就寝時の使用時でも、多少の顔の動きに対しても、粘着部分が剥れにくくする事が可能である。
【図面の簡単な説明】
【０００８】
【図１】  本発明の使用状態を示した説明図
【図２】  本発明の目元部分左側の要部を拡大した説明図
【図３】  本発明の頬部分左側の要部を拡大した説明図
【発明を実施するための形態】
【０００９】  以下、本発明の実施の形態を説明する。
（イ）肌に当たる面は、皮膚粘着可能なアクリル系粘着剤、ゲル粘着剤、シリコン粘着剤    等の接着剤が、肌に負担をかけず、また皮膚の角質剥離等の負担も少ないので適して    いる。
（ロ）中間層は、肌に負担をあまり掛けないシリコン、ポリウレタンなどのエラストマー    等の柔らかく弾力性のあるものを、肌側及び下方部に厚みを持たせ、目元および頬を    下から持ち上げるようになだらかにカットしたものとする。
（ハ）外側の面は、不織布等などを用いる。
本発明は以上の構成よりなる。
本発明を使用する場合は、接着剤側を肌に合わせ、時間を置くこと。
【符号の説明】
【００１０】    １  肌接着面
２  中間層
３  布等
【図１】
2011045682.tif 000003
【図２】
2011045682.tif 000004
【図３】
2011045682.tif 000005
(57)【要約】      （修正有）【課題】ゴルフスイングを正しい筋肉の動きによって形成する事と同じ動作を繰り返し練習する事でその効果を高める事を提供する。【解決手段】ボールを打つ動作がクラブヘッドに集中してボールを当てる動作の練習機に成っている。正しい動き以外の動きがあってもボールを打つ動作が出来る様な構造をしている、大人から子供まで体に取り付けて調整する事が出来尚且つゴルフクラブヘッドが無くボールを意識する事無くスイングすることを特徴とするゴルフスイング練習機である。【選択図】図１
2011045687.tif 000002
【特許請求の範囲】
【請求項１】
大人から子供まで体に取り付けて調整する事が出来尚且つゴルフクラブヘッドが無くボールを意識する事無くスイングすることを特徴とするゴルフスイング練習機である。
【請求項２】
ゴルフスイングに不必要な動きを抑えゴルフスイングに必要な腕の振りと体の回転と体重移動が覚えられることを特徴とする請求項１のゴルフスイング練習機である。
【発明の詳細な説明】
【技術分野】
【０００１】  この発明は、ゴルフスイングを覚える為の練習機に関する。
【背景技術】
【０００２】  従来のゴルフスイング練習機はゴルフクラブに取り付けたり体に取り付けたりガイドの様な物を置いたりゴルフクラブをスイングする物がゴルフスイング練習機である。
【先行技術文献】
【特許文献】
【０００３】
【特許文献１】特許公開平６−２５４１９１
【発明の概要】
【発明が解決しようとする課題】
【０００４】  しかしながら、以上の技術によれば、ボールを打つ動作がクラブヘッドに集中してボールを当てる動作の練習機に成っている。正しい動き以外の動きがあってもボールを打つ動作が出来る様な構造をしている。
そこで、この発明は、ゴルフスイングを正しい筋肉の動きによって形成する事と同じ動作を繰り返し練習する事でその効果を高める事を提供することを課題とする。
【課題を解決するための手段】
【０００５】  以上の課題を解決するために、第一発明は、大人から子供まで体に取り付けて調整する事が出来尚且つゴルフクラブヘッドが無くボールを意識する事無くスイングすることを特徴とするゴルフスイング練習機である。
また、第二発明は、ゴルフスイングに不必要な動きを抑えゴルフスイングに必要な腕の振りと体の回転と体重移動が覚えられることを特徴とするゴルフスイング練習機である。
【発明の効果】
【０００６】  第一発明、または第二発明によれば、ゴルフスイングに必要な正しい筋肉の動きが覚えられるゴルフスイング練習機である。
【図面の簡単な説明】
【０００７】
【図１】この発明の一実施形態を示す斜視図である。
【図２】ゴルフスイング練習機を装着して、スイングしている斜視図である。
【発明を実施するための形態】
【０００８】  この発明の一実施形態を、図１に示す。
ゴルフスイング練習機のＡ）ベルト留める金具Ｂ）Ｉ型伸び縮み金具Ｃ）上下に移動金具Ｅ）上下に移動金具の金具の部分はアルミ合金製であり、Ｄ）ベルトの部分は布製でＦ）Ｌ型金具の先にゴルフクラブ用のゴムグリップが取り付けられている。
【０００９】「実施形態の効果」
この実施形態によれば、図１ゴルフスイングする人がＤ）ベルトをしてＢ）Ｉ型伸び縮みする部分を調整してゴルフスイングする人に合わせてＦ）Ｌ型金具とゴルフグリップのグリップ部分を握る。図２は実際にゴルフスイングする人に装着した図である。アドレス（打つ前の構え）からバックスイング（右側に回転して両手が振りかぶった）状態になる場合、身体が右側に回転してＢ）Ｉ型伸び縮み金具とＣ）上下に移動金具とＥ）上下に移動金具がＤ）ベルトから上方に移動する。その場合のＦ）Ｌ型金具とゴルフグリップがその動きで左手が伸びＤ）ベルトの部分が動かないで引き上げると身体から手が離れてバックスイングが完成する。ダウンスイング（打つ為にクラブを下ろす）では身体が左側に回転しながらＢ）Ｉ型伸び縮み金具とＣ）上下に移動金具とＥ）上下に移動金具がＤ）バックスイングから下方に移動する。インパクト（ボールを打つ瞬間）はアドレス（打つ前の構え）の位置に戻りボールに意識する事が無くそのまま左側に回転する。フォロー（打った後のクラブの動き）は身体が左側に回転してＢ）Ｉ型伸び縮み金具とＣ）上下に移動金具とＥ）上下に移動金具がＤ）ベルトから上方に移動する。フィニッシュ（打ち終わり）は両手が曲がりそのまま引き上げるとＦ）Ｌ型金具とゴルフグリップがＢ）Ｉ型伸び縮み金具とＣ）上下に移動金具を引き上げるとＤ）ベルトが引き上げられ身体がそり、右足が上がり完成する。右足が上がり身体がそると右足から左足に体重が移動して体重移動が完成する。図２のゴルフスイングする人は右利きである為、左利きの人は左右が反対となる。
【符号の説明】
【００１０】Ａ）ベルト留める金具
Ｂ）Ｉ型伸び縮み金具
Ｃ）上下に移動金具
Ｄ）ベルト
Ｅ）上下に移動金具
Ｆ）Ｌ型金具とゴルフグリップ
【図１】
2011045687.tif 000003
【図２】
2011045687.tif 000004
(57)【要約】【課題】  汚水の浄化処理を簡単な機器を用いて長期間処理する。【解決手段】  帯状または丸状のロープによって構成された目開き９〜４００ｃｍ２のネット状構造物に貝類を付着させ、かつ貝類が付着した状態においてネット状構造物に目合いを有する汚水の処理用浄化膜。【選択図】  図１
2011045797.tif 000002
【特許請求の範囲】
【請求項１】
帯状または丸状のロープによって構成された目開き９〜４００ｃｍ２のネット状構造物に貝類を付着させ、かつ貝類が付着した状態においてネット状構造物に目合いを有することを特徴とする汚水の処理用浄化膜。
【請求項２】
汚水中に請求項１記載の処理用浄化膜を多重展張することを特徴とする汚水の浄化方法。
【発明の詳細な説明】
【技術分野】
【０００１】
本発明は、汚水の浄化処理に用いられる浄化膜に関する。
【背景技術】
【０００２】
近年特に、河川、港湾等における汚水が問題になっている。降雨時には、生下水が河川に放流されたり、農業排水、工業排水、生活排水等が常に河川に放流される。これらの放流汚水は河川から、港湾や海岸等に流出して赤潮・青潮の発生の原因となっている。これらの汚水を清澄化する方法として従来から種々の方法が提案されている。例えば汚水中に高分子凝集剤を添加して、汚水中の汚濁物質をフロック化させて、分離する方法（特許文献１）、あるいはシート状膜等で、隣接するシート状膜間との間に間隔を設けて展張し、シート状膜区域内における汚水の滞留時間を長くして、その間に汚濁物質のフロック化を行い、かつシート状膜間の間隔部を通過する際に、そこに生起するカルマン渦流現象により生成したフロックを沈降分離する方法が知られている（特許文献２）。
【先行技術文献】
【特許文献】
【０００３】
【特許文献１】特許第１６２３２０１号
【特許文献２】特許第２０２８６９９号
【発明の概要】
【発明が解決しようとする課題】
【０００４】
しかしながら、高分子凝集剤を用いる方法は、ランニングコストがかかり、かつ処理量の変動が大きいために充分な効果が得られなかった。またシート状膜を展張する方法は、長期間使用していると、表面全体に貝類が付着し、シート状膜の重量が増大して水底下に沈降してしまう欠点があった。またシート状膜としてネット状物を使用しても全面に貝類が付着し、シート状の膜と同様の現象が生起していた。
【０００５】
そこで従来は、これらのシート状膜等に貝類が付着しない方法として、例えば防汚染料を塗付する等の種々の方法が提案されている。しかしながら、防汚染料中の重金属が水質を汚染する問題があった。
【課題を解決するための手段】
【０００６】
そこで本発明者は、簡単な機器によって汚水を浄化する手段について種々研究を重ねた結果本発明を完成するに至った。
すなわち、本発明は、帯状または丸状のロープによって構成された目開き９ｃｍ２〜４００ｃｍ２のネット状構造物に貝類を付着させ、かつ貝類が付着した状態において、ネット状構造物に目合いを有することを特徴とする汚水の処理用浄化膜に関する。
【０００７】
本発明者は、水中構造物に付着する貝類の状態について、種々観察した結果、水中構造物表面に付着している貝類は小さく、重なり合って外側に行く程成長して大きい貝類が付着していることがわかった。これらの貝類の付着状態に基づきネット状構造物の目開との関係について種々検討した結果、ネット状構造物の形態によって、長期間使用しても、貝類が付着したとしても、ネット状構造物の目開き部が閉塞することなく、常に目合いを有する状態になることを見出したのである。
更に、目合いを有することから、通水性が良く、ネット状構造物に受ける流れから生ずる流体抵抗が小さく、破損しにくいため長期使用を可能にした。
【０００８】
本発明のネット状構造物を構成するロープの形状としては、帯状あるいは丸状であることが好ましい。帯状である場合は、幅１〜１０ｍｍのものが好ましい。また丸状の場合は、直径２〜１０ｍｍのものが好ましい。
これらのネット状構造物のロープの素材としては、ナイロン、ポリエステル、ビニロン、クレモナ、タフテック、ポリエチレン等の合成繊維、綿、麻、絹等の天然繊維、ステンレス入り合成繊維等が用いられるが、特に、ポリエチレンが好ましい。
【０００９】
ネット状構造物として網を用いる場合、この網地の種類としては、ラッセル網、無結節網、有結節網、等が用いられるが、特に貝殻の付着状態からして無結節網が好ましい。
【００１０】
またネット状構造物を構成する目開き（網目）の大きさ（ロープで囲繞された面積）は、９〜４００ｃｍ２の範囲で、好ましくは、１２〜１００ｃｍ２の範囲が好適である。
目開き（網目）の形状としては、丸形、三角形、四角形、六角形等のものが使用できるが、目合いを長期間に亘り好適に作る形状としては四角形が好ましい。
【００１１】
前記目開きの大きさは、使用するロープの太さ等や目開きの形状等によって適宜選択することができるが、一般的にロープの太さ等が大きくなるに従って目開きも大きくすることが好ましい。
【００１２】
次に本発明の処理用浄化膜のネット状構造物に貝類を付着させる方法としては、例えば海洋等に吊下する状態で放置する事によってネット状構造物１の表面に貝類２が重層的に付着し、目開き部に目合い３を有する図１に示すようなネット状構造物を調整することが出来る。そして本発明の処理用浄化膜は、長期間水中に設置しても目合い３が実質的に閉塞しないことである。
【００１３】
本発明の処理用浄化膜を用いて汚水を処理する方法について説明する。
図２に示すように港湾等の所望する区域にフロート４等を用いて多重展張する。流れ６によって汚れた海水は多重展張された処理用浄化膜の間隔部５を通過したり、目合い部を通過したりするときに貝類に接触し、その際貝類によって汚染（汚濁）物質が除去され、清澄化される。
本発明の処理用浄化膜に形成された目合い部は、潮流、波浪等のエネルギーによって貝類が付着成長しても適宜剥離されるので実質的に目合い部が閉塞することはない。
【発明の効果】
【００１４】
本発明の処理用浄化膜を用いることによって汚水がいずれの方向にも通過することができるので貝類との接触頻度が高まり、効率的に汚水の処理を行うことができる。
【図面の簡単な説明】
【００１５】
【図１】本発明のネット構造物の側面図
【図２】本発明の処理用浄化膜を多重展張した状態を上部から見た平面図
【符号の説明】
【００１６】
１・・・・・ネット状構造物
２・・・・・貝類
３・・・・・目合い
４・・・・・フロート
５・・・・・間隔部
【図１】
2011045797.tif 000003
【図２】
2011045797.tif 000004
(57)【要約】【課題】  柄とその先に連結しているヘッド部からなる床面用清掃具で、清掃ヘッドに清掃用シートを巻きつけて使用する清掃具において、床面上の大きな埃を清掃ヘッド内部に取り込むことによって清掃具外側にこぼれ落ちることを防止し、埃の捕集性能を向上させる清掃具を提供する。【解決手段】  清掃具のヘッド部の形状を両端から中央に向かって半円形の凹部を設けた形にし、清掃具を矢状面から見たときに清掃具前方を高く、後方を低くしたウエッジ形状を成すこと、さらに清掃具のヘッド部前方の両端を鋭角にした張り出し部があることを特徴とする清掃具とする清掃具。【選択図】  図1
2011045484.tif 000002
【特許請求の範囲】
【請求項１】
清掃ヘッドに清掃用シートを巻きつけて床面を拭き取る床面清掃具であって、清掃具のヘッド部を両端から中央に向かって半円形の凹部を設けた形状を特徴とする清掃具。
【請求項２】
清掃具を矢状面から見たときに清掃具前方を高く、後方を低くしたウエッジ形状を成すことを特徴とする請求項1の清掃具。
【請求項３】
清掃具のヘッド部前方の両端を鋭角に張り出した形状を特徴とする請求項1の清掃具。
【発明の詳細な説明】
【技術分野】
【０００１】
本発明は大きな埃を収集できる床面清掃具に関するものである。
【背景技術】
【０００２】
従来からフローリング、畳などの床面を清掃する用具として特許文献１のように清掃ヘッドに清掃用シートを巻きつけて床面を拭き取るものがあった。
また、特許文献2のように清掃ヘッドの進行方向前方の形状を凹型にし、大きな埃の収集能力を向上させたものもある。
【先行技術文献】
【特許文献】
【０００３】
【特許文献１】特開平9-140652号公報
【特許文献２】特開2006-180932号公報
【発明の概要】
【発明が解決しようとする課題】
【０００４】
しかし、特許文献1のような清掃具では、床面上の小さな埃等を拭き取ることができるものの、床面上の大きな埃は清掃ヘッドの横方向外側に押し出されてしまう。
【０００５】
また、特許文献2のような清掃具は床面上の大きな埃が清掃ヘッド外側にこぼれ落ちることを防止できるが、清掃具が進行方向と反対側に動く際にせっかく集めた埃が清掃具から離れてしまいう。
【０００６】
本発明は清掃ヘッドに清掃用シートを巻きつけて使用する清掃具において、床面上の大きな埃を清掃具外側にこぼれ落ちることを防止し、埃の捕集性能を向上させることを課題とする。
【課題を解決するための手段】
【０００７】
この課題を解決するための請求項1の発明は、清掃具のヘッド部を両端から中央に向かって半円形の凹部（1）を設けた形状を特徴とする清掃具である。
【０００８】
また、請求項2の発明は、清掃具を矢状面から見たときに清掃具前方を高く、後方を低くしたウエッジ形状を成すことを特徴とする清掃具である。  
【０００９】
さらに、請求項3の発明は清掃具のヘッド部前方の両端を鋭角にした張り出し部（2）を特徴とする清掃具である。
【発明の効果】
【００１０】
本発明により、床面清掃具の進行方向（Ａ）にある大きな埃を凹部（1）に取り込み、清掃具後方が低いウエッジ形状により、取り込んだ埃に上部から圧力をかけ、かつ清掃シート内に発生した静電気で埃を吸い付けることにより確実に埃を捕集することができる。
【００１１】
また、清掃具ヘッド前方の張り出し部（2）が壁の角の埃を取り除き易くする。
【図面の簡単な説明】
【００１２】
【図１】本発明の斜視図
【図２】本発明を下方向から見た図、清掃ヘッドの半月状の凹部
【図３】本発明を横方向から見た図
【図４】本発明を横方向から見た断面図
【発明を実施するための形態】
【００１３】
清掃具は図1のとおり柄とその先に連結しているヘッド部からなる。
【００１４】
ヘッド部を矢状面から見て進行方向を高くしたクサビ形のウエッジ形状にする。
ウエッジ形状のヘッド部両端から中央に向かって半月状に凹部（1）を設ける。このときヘッド部両端には進行方向に鋭角に張り出し部（2）を設ける。
【００１５】
本発明を使用する際には床面を進行方向（Ａ）に向かって拭き進める。床面に大きな埃があった場合、清掃ヘッドの半月状の凹部（1）に収納され、収納された埃は凹部奥に進むに従いウエッジ形状によって徐々に狭くなる清掃ヘッドに押さえつけられ捕集される。また、清掃具進行方向（Ａ）に壁の角などがある場合、清掃ヘッド両端の鋭角の張り出し部（2）を壁の角に押し付けることによって隅に溜まった埃を取り除くことができる。
【符号の説明】
【００１６】
1  凹部      
2  張り出し部      
3  床などの平面
Ａ  進行方向
【図１】
2011045484.tif 000003
【図２】
2011045484.tif 000004
【図３】
2011045484.tif 000005
【図４】
2011045484.tif 000006
(57)【要約】      （修正有）【課題】曲線と頂点の組み合わせからなる様々な形の紙箱を提供する。【解決手段】外型と内型のクリアランスが箱の側面として使用する紙の厚みと同等もしくはやや広めで側面の帯の巾よりも狭い成形型を作る。次に外型と内型の隙間に側面用の帯をはめ込む。そして内型の上にメンコを載せる。メンコを入れると内型５は下に抜ける。下に抜けた内型を取り出し、成形型の中に入っているメンコの上に置く。内型６を下まで押し込み、帯７とメンコ９の位置を決める。定位置に置かれたメンコと帯の凹部分と角及び外への力がかかる部分を瞬間接着剤等の速乾性の糊で留める。その上からエマルジョン等の糊で本止めすることにより、生産性を上げると共に強度を確保する。【選択図】図４
2011183789.tif 000002
【特許請求の範囲】
【請求項１】
帯とメンコを接着する際にそれぞれを定位置に置くことを容易にするための、外型と内型のクリアランスが箱の側面として使用する紙の厚みと同等がやや広めで側面の帯の巾よりも狭い成形型。
【請求項２】
請求項１を用いてメンコと帯を接着するときに帯の凹部分と角及び外への力がかかる部分を容易にするための接着剤の使用方法。
【請求項３】
メンコの上にメンコを重ねる事で糊がより側面とメンコの両方に広がる。ムラなく浸透する事で接着強度を増すと共に美粧性を上げる。
【請求項４】
側面に使用する帯に熱若しくは強い力を加える事で複雑なラインに沿わせやすくすることも可能である。
【発明の詳細な説明】
【技術分野】
【０００１】  本発明は紙箱の製造方法に関する。
【背景技術】
【０００２】  従来の紙箱は、直線と直線の組み合わせで設計され、製造されている。そのため形状について缶製や化成品などのような自由度がなく、表現力において劣っている。
【発明の概要】
【発明が解決しようとする課題】
【０００３】  箱の形状を設計する際に、曲線と角とを自由に組み合わせることを可能とする。これにより、今までになかった様々な形のメンコと帯からなる紙箱を提供する。
【課題を解決するための手段】
【０００４】  本発明は、まず側面にあたる帯を成形型に入れて固定する。次に内型とメンコを入れ替えて凹部分及び谷折れ部分を瞬間接着剤で仮止めする。そしてエマルジョンなどで本止めし、形を作る。
【発明の効果】
【０００５】  これにより缶や化成品でなければ作れなかった形の箱が紙を使って生産出来る。
【図面の簡単な説明】
【０００６】
【図１】成形型の構成図
【図２】成形型の使用手順を示す図１
【図３】成形型の使用手順を示す図２
【図４】成形型使用時の部分拡大断面図
【図５】接着剤滴下時の部分拡大断面図
【図１】
2011183789.tif 000003
【図２】
2011183789.tif 000004
【図３】
2011183789.tif 000005
【図４】
2011183789.tif 000006
【図５】
2011183789.tif 000007
(57)【要約】      （修正有）【課題】片手使用で野菜の皮をむくための補助具を提供する。【解決手段】所定サイズと重量の基台１を設けるとともに、基台１の一方の端部近傍上面に、基台１上面に対して昇降および傾斜可能なる水平保持針１１を有する野菜保持機構部を設けたことを特徴とする。【選択図】図５
2011183131.tif 000002
【特許請求の範囲】
【請求項１】
所定サイズと重量の基台を設けるとともに、基台の一方の端部近傍上面に、基台上面に対して昇降および傾斜可能なる水平保持針を有する野菜保持機構部を設けたことを特徴とする野菜の皮むき補助具。
【発明の詳細な説明】
【技術分野】
【０００１】  この発明は、片手操作のみで野菜の皮をむくための補助具に関する。
【背景技術】
【０００２】  従来より、野菜の皮をむくときは、包丁やピーラー等を用いて両手を使って行っており、本発明にて示すように、片手のみにて皮をむくための補助具は見あたらない。
【発明の開示】
【発明が解決しようとする課題】
【０００３】  上述のように、野菜等の皮をむくときは、野菜を片手で握りもしくは押さえて、他方の手に包丁やピーラーを持って行わねばならず、片手の不自由な人にとっては一人で皮をむくことは困難であるが、これを解決する適当な手段が見あたらないのが現状である。
本発明は以上に鑑み、片手のみにて野菜の皮をむくことのできる、新規かつ有用なる補助具を提供するものである。
【課題を解決するための手段】
【０００４】  課題を解決する手段として本発明は以下の構成とした。
すなわち、所定サイズと重量の基台を設けるとともに、基台の一方の端部近傍上面に、基台上面に対して昇降および傾斜可能なる水平保持針を有する野菜保持機構部を設ける。
本発明は以上の構成よりなる野菜の皮むき補助具である。
【発明の効果】
【０００５】  本発明は、下記の効果を有する。
１．基台に対し傾斜と昇降可能なる水平保持針を有するので、この保持針を野菜に突き刺  すことにて、野菜位置を安定させることができるので、ピーラー等を用い片手のみにて  野菜の皮むきを行うことができ、該保持針に対して野菜を回すことにて、ほぼ全面の皮  をむくことができる。
２．保持針は基台に対して傾斜と昇降が可能のため、野菜サイズに対応して用いることが  できる。
３．基台上面に垂直保持針を設けることにて、野菜位置安定を向上させることができる。
４．基台重量を適宜に設定し、基台下面にゴムシートを設けることにて、皮むき作業時の  基台移動を防ぐことができる。
【発明を実施するための最良の形態】
【０００６】  以下、本発明の実施形態について説明する。
図において、１は木製直方体形状の基台、２は基台下面に貼着されるゴムシート、３は基台上に立設される金属針による垂直保持針、４は該垂直保持針位置に対応する基台端に刻設されるマークスリット、５は基台の一方端近傍に刻設される角形の凹部である。
この凹部には野菜保持機構部６が設けられ、これは以下のごとく構成される。
７は凹部にその一辺がビス止めされる蝶番で、他片には金属丸棒によるガイドバー８が固着される。９はリンク機構である。このリンク機構は、４枚の小金属板端を互いに回動可能に軸支して図３のごとく形成され、その下端片は前記蝶番立片に軸支され、上端片には正面視Ｌ形小板体による舌片１０が固着されるとともに、この小板体の孔内に前記ガイドバーが位置している。また、リンク機構上部には水平保持針１１が設けられる。
以上の構成から、ガイドバーとリンク機構部および水平保持針は蝶番に取り付けられているために、蝶番軸を回動中心として回動可能であるとともに、リンク機構にて舌片および水平保持針はガイドバーに沿って所定範囲内にて昇降が可能である。【０００７】  本発明を使用するには、まず基台を任意に選択した平面上に置く。次に、皮を剥こうとする野菜の端部に水平保持針を突き刺し、この水平保持針と野菜を傾けて野菜側面を垂直保持針に突き刺す。以上にて野菜は基台上に固定されるので、ピーラー等を用いて皮をむく。野菜は水平保持針に対して回動可能であるので、適宜に回動させることにてほとんどすべての面の皮をむくことができる。なお、野菜回動時は、垂直保持針より野菜を持ち上げ、回動後再び垂直保持針に突き刺して使用する。
なお、野菜の太さや形状はまちまちであるので、本発明では既述の構成にて水平保持針の傾斜と昇降を可能として、これに対処するものとしている。また、リンク機構に舌片が固定され、この舌片はガイドバーに沿って昇降するので、水平保持針はガイドバーに沿って平行移動することができる。また、基台は適宜な重量を有し、かつその下面に高摩擦係数素材であるゴムシートが貼着されている。そのため、皮むき作業時の基台の移動を防止して、安定した皮むき作業を行うことができる。なお、基台の凹部内に野菜機構部の下部が位置しているので、水平保持針の最下位置を基台上面に近接させて、小径の野菜にも対応可能なものとした。【０００８】  以上、本発明について記したが、本発明は皮を剥こうとする野菜の安定保持機能を有しているので、片手のみを用いての皮むき作業を可能としたところにその特徴を有するものである。従来はこのような用具がなく、必然的に両手を用いなければ皮をむくことができなかったが、本発明にてこれが解決できるものとなったのである。なお、野菜を水平保持針に突き刺す場合において、野菜保持機構部の回動範囲は限定的であり、例えば該機構部を正面視左方に傾けることにて、水平保持針は斜方上向きとなるので、野菜を突き刺した後、右方に傾けて垂直保持針に突き刺すことができる。また、垂直保持針に対応する基台端にマークスリットを設けたので、皮むき後に野菜を切断するとき、この垂直保持針位置を避けて行うことができる。記述例では基台を木製としたが、他の素材にて製作してもよく、ただしその重量に留意すべきである。本発明は野菜の皮むき用として設けたが、果実その他にも十分利用可能である。
以上のごとく、本発明にて片手を用いる皮むきを行うことのできる便利なる用具を得ることができる。
【図面の簡単な説明】
【０００９】
【図１】  本発明の平面図
【図２】  本発明の正面図
【図３】  本発明の拡大右側面図
【図４】  本発明の要部構造説明図（使用時）
【図５】  本発明の使用説明図
【符号の説明】
【００１０】１    基台
２    ゴムシート
３    垂直保持針
４    マークスリット
５    凹部
６    野菜保持機構部
７    蝶番
８    ガイドバー
９    リンク機構
１０  舌片
１１  水平保持針
１２  ピーラー
【図１】
2011183131.tif 000003
【図２】
2011183131.tif 000004
【図３】
2011183131.tif 000005
【図４】
2011183131.tif 000006
【図５】
2011183131.tif 000007
(57)【要約】【課題】碁盤上に並べた碁石の連結・切断を視覚的に分かりやすいものにする。また、碁盤への碁石の正確な設置、容易な取り外しを実現し、碁盤上での碁石の安定性を確保する。【解決手段】碁盤上の罫線を廃し、連続した四角錘のくぼみ１を施す。碁石２は、四角錘のくぼみ１にフィットするように、前記四角錘と相似の四角錘を両面に持つ八面体とする。碁石２の内径はくぼみ１の内径より若干小さめとする。【選択図】図１
2011183132.tif 000002
【特許請求の範囲】
【請求項１】
連続した四角錐の形状のくぼみを持つ碁盤と、そのくぼみにフィットする形状の四角錐を両面に持つ八面体の碁石とで構成する碁盤・碁石セット。
【発明の詳細な説明】
【技術分野】
【０００１】本発明は、囲碁における碁石の連結・切断を視覚的に分かりやすくし、また、盤上への碁石の設置・取り外しを容易にした碁盤・碁石セットに関するものである。
【背景技術】
【０００２】碁盤・碁石の形状は、古来、碁盤は盤上に罫線を施したもの、碁石は円盤状のものと決まっていた。これは、従来においては合理的かつ伝統に培われたものであった。しかし、次に示すような課題もあった。
【発明の開示】
【発明が解決しようとする課題】
【０００３】囲碁においては、石の連結・切断が重要な要素の一つであるが、従来の碁石の形状では、初心者にとって石の連結・切断が分かりにくいものであった。また、平面の盤上に曲面のある碁石を置くため、必ずしも安定したものではなく、振動・衝撃により碁石がずれたり、碁石の配置が混み合ってきた場合、碁石同士の接触や指の接触により碁石の配置が崩れたりすることもあった。
【課題を解決するための手段】
【０００４】碁盤上の罫線を廃し、連続した四角錘のくぼみ１を施す。碁石２は、四角錘のくぼみ１にフィットするように、前記四角錘と相似の四角錘を両面に持つ八面体とする。碁石２の内径はくぼみ１の内径より若干小さめとする。なお、碁石２の角は、安全上の配慮より、若干丸めたほうが望ましい。
【発明の効果】
【０００５】図１のように、碁石２が縦・横に並ぶと、視覚的に線分として認識でき、初心者にとって従来の碁盤では分かりにくかった石の連結・切断がイメージしやすい。また、従来の罫線を施した碁盤であると中央・辺・隅の交点の形状が違うが、本発明の碁盤ではどの点も同じ形状であり、初心者には分かりやすい。また、碁石の置き外しが容易である。特に取り外しの際は、図３のように指で碁石２をスライドさせることにより他の碁石の配置に影響を与えることなく取り外すことができる。
【図面の簡単な説明】
【０００６】
【図１】本発明の碁盤に碁石を並べた例の上面図である。
【図２】本発明の碁石の斜視図である。
【図３】碁盤の断面図である。また、指で碁石を取り除く際の動作を表す。
【符号の説明】
【０００７】１  四角錐のくぼみ
２  八面体の碁石
【図１】
2011183132.tif 000003
【図２】
2011183132.tif 000004
【図３】
2011183132.tif 000005